(57)【要約】【課題】特に車載用途向けのデジタル放送受信装置において、小型のモニタ画面でも見やすく且つ簡単に視聴予約をできるようにすることにある。【解決手段】番組情報取得部７０により、受信したデジタルデータから番組情報を取得し、予約制御部８０により、取得した番組情報のうち現在時刻又は前回視聴予約した番組の終了時刻以降に放送される番組情報のみを抽出して予約を受け付ける。【選択図】図１
2008141379.tif 000002
【特許請求の範囲】
【請求項１】
デジタル放送を受信するためのデジタル放送受信装置であって、
複数の番組情報を取得する番組情報取得部と、
前記番組情報取得部で取得した複数の番組情報のうち、所定の設定時刻以降に放送予定の番組情報のみを抽出して視聴予約を受け付ける予約制御部とを備えたことを特徴とするデジタル放送受信装置。
【請求項２】
請求項１において、
前記設定時刻とは、現在時刻又は前回視聴予約した番組の終了時刻であることを特徴とするデジタル放送受信装置。
【請求項３】
請求項１又は２において、
設定登録された目的地までの経路情報及び到着予定時刻を算出する経路ナビゲーション部を備え、
前記予約制御部は、前記視聴予約した番組の終了時刻が前記経路ナビゲーション部で算出された到着予定時刻を越える場合に、それ以降の予約受付を終了するように構成されていることを特徴とするデジタル放送受信装置。
【請求項４】
請求項１において、
コンテンツを格納するためのコンテンツ格納部と、
前記コンテンツ格納部に格納したコンテンツに関するコンテンツ情報を取得するコンテンツ情報取得部とを備え、
前記予約制御部は、前記番組情報とともに、前記コンテンツ情報取得部で取得したコンテンツ情報に基づいて視聴予約を受け付けるように構成されていることを特徴とするデジタル放送受信装置。
【請求項５】
請求項４において、
前記設定時刻とは、現在時刻、前回予約した番組の終了時刻、又は前回予約したコンテンツの再生時間に基づいて想定される終了時刻であることを特徴とするデジタル放送受信装置。
【請求項６】
請求項４又は５において、
設定登録された目的地までの経路情報及び到着予定時刻を算出する経路ナビゲーション部を備え、
前記予約制御部は、前記視聴予約した番組又はコンテンツの終了時刻が前記経路ナビゲーション部で算出された到着予定時刻を越える場合に、それ以降の予約受付を終了するように構成されていることを特徴とするデジタル放送受信装置。
【発明の詳細な説明】
【技術分野】
【０００１】
本発明は、デジタル放送受信装置に関し、特に車載用途向けのデジタル放送受信装置に関する。
【背景技術】
【０００２】
現在、日本では、地上デジタル放送が開始されている。この地上デジタル放送には、ＯＦＤＭ（Orthogonal Frequency Division Multiplex）変調方式が採用されており、映像及び音声データの再生劣化が少なく、アナログ放送よりも安定した受信が可能となる。そのため、まもなくアナログ放送からデジタル放送へと完全に移行される予定である。
【０００３】
また、２００６年４月には、モバイル機器向けの放送（１セグメント地上デジタル放送、いわゆるワンセグ放送）がスタートしている。このワンセグ放送の登場に伴い、地上デジタル放送を受信可能な移動体端末や携帯端末等が盛んに開発されている。特に、移動体端末については車載を目的としたものが数多く開発されている。
【０００４】
ここで、地上デジタル放送の特徴の１つとして、ＥＰＧ（Electronic Program Guide）が挙げられる。受信機が受信したＥＰＧデータを新聞のテレビ欄のようにモニタ画面に表示し、ユーザーがその画面を見ながら見たい番組をリモコン操作で選択することによって番組情報の確認や視聴予約が可能になる。
【０００５】
しかし、車載を目的とした移動体端末の場合には、モニタ画面は家庭用に比べて小さいことから、番組の一覧表を表示したとしても番組の選択作業が困難となるため、運転に専念する必要があるドライバにとっては望ましくない。
【０００６】
ここで、特許文献１には、ＥＰＧデータのうちの１個のチャンネルの少なくとも１個の時間帯の番組名をチャンネル名及び時間とともに表示し、チャンネルを連続的に変化させて選択するスイッチと、時間帯を連続的に変化させて選択するスイッチとを用いて、操作を簡単にするための技術が開示されている。
【特許文献１】特開２００４−２００７９７号公報
【発明の開示】
【発明が解決しようとする課題】
【０００７】
しかしながら、従来の技術では、１個の番組情報のみをモニタ画面に表示するため、同じ時間帯に視聴することが可能な他のチャンネルの番組情報と比較検討したい場合には、かえって煩雑な操作が必要となる。また、チャンネル軸方向と時間軸方向との二軸を移動しながら番組を選択しなければならないため、番組情報内のどの箇所を探しているのか分からなくなってしまうおそれがあるという問題がある。
【０００８】
本発明は、かかる点に鑑みてなされたものであり、その目的とするところは、特に車載用途向けのデジタル放送受信装置において、小型のモニタ画面でも見やすく且つ簡単に視聴予約をできるようにすることにある。
課題課題
【課題を解決するための手段】
【０００９】
すなわち、本発明は、デジタル放送を受信するためのデジタル放送受信装置であって、
複数の番組情報を取得する番組情報取得部と、
前記番組情報取得部で取得した複数の番組情報のうち、所定の設定時刻以降に放送予定の番組情報のみを抽出して視聴予約を受け付ける予約制御部とを備えたことを特徴とするものである。
【発明の効果】
【００１０】
以上のように、本発明によれば、例えば、車内で小型モニタを利用してデジタルテレビ放送を視聴する場合であっても、見やすくて且つ簡単な操作によって視聴予約を行うことができる。また、一度に連続した視聴予約を行うことができるため、例えばドライバーが走行前に予約手続きを完了しておけば、運転中は装置を一切操作することなく予約したテレビ番組を楽しむことができ、運転に専念することができる。
【００１１】
また、コンテンツ情報を取得するようにすれば、予約時間帯に所望の番組が存在しない場合であっても、代替の嗜好音楽を楽しむために事前に予約することができる。例えばドライバーが走行前に予約手続きを完了しておけば、運転中は装置を一切操作することなく予約したテレビ番組や嗜好の音楽を楽しむことができ、運転に専念することができる。
【００１２】
また、設定登録された目的地までの経路情報及び到着予定時刻を算出する経路ナビゲーション部を設けるようにすれば、車内でデジタルテレビ放送を視聴予約する場合において、目的地への到着までに要する運転時間の範囲内のみで効率的に視聴予約を行うことができる。
【発明を実施するための最良の形態】
【００１３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１４】
＜実施形態１＞
図１は、本発明の実施形態１に係るデジタル放送受信装置の構成を示すブロック図である。図１に示すように、このデジタル放送受信装置は、電波受信部１０、ＤＥＭＵＸ（Demultiplexer）２０、バッファ３０、視聴制御部４０、出力部５０、操作部６０、番組情報取得部７０、予約制御部８０、及び予約情報格納部９０を備えている。
【００１５】
前記電波受信部１０は、ホイップ（ロッド）アンテナ、ダイポールアンテナ、八木・宇田アンテナ、パラボラアンテナ、ループアンテナ、誘電体アンテナ等のアンテナを備え、所望の周波数のチューニングを行うことでデジタル放送波からデジタルデータを抽出するものである。このデジタルデータは、所定の規格に準拠して複数のチャンネルの映像データや音声データ等が多重化されており、具体的に、地上デジタル放送の場合にはＭＰＥＧ２−ＴＳ規格に準拠している。
【００１６】
前記ＤＥＭＵＸ２０は、多重化データから各チャンネルの映像データ、音声データ、ＰＳＩ（Program Specific Information）／ＳＩ（Service Information）等を分離して抽出するものである。具体的に、地上デジタル放送の場合には、映像データはＭＰＥＧ−２（Moving Picture Experts Group）、音声データはＡＡＣ（Advanced Audio Coding）で圧縮処理されている。また、ワンセグ放送の場合、映像データはＨ．２６４で圧縮処理されている。
【００１７】
なお、前記ＤＥＭＵＸ２０は、ハードウェアやソフトウェアで構成されており、暗号化を解除する機能を備えたものであってもよい。これにより、Ｂ−ＣＡＳカード等に格納された鍵情報に基づいて、暗号化されたデジタルデータを復号化して視聴することができる。
【００１８】
前記バッファ３０は、ＤＥＭＵＸ２０によって分離されたデータを一時的に格納するものであり、具体的に、ＤＲＡＭ（Dynamic Random Access Memory）等の揮発性メモリ、フラッシュメモリ等の不揮発性メモリ等の任意のメモリや、ＳＤ（Secure Digital）カード等のメモリカードやハードディスク装置で構成されている。
【００１９】
前記視聴制御部４０は、バッファ３０に格納されたデータを読み出し、この読み出されたデータをデコードして映像又は音声データを出力するものである。具体的には、ＰＴＳ（Presentation Time Stamp）情報等の時間情報を用いて、映像又は音声データの出力タイミングを制御するように構成されている。
【００２０】
前記出力部５０は、視聴制御部４０から出力された映像又は音声データをユーザーが知覚できるような形態に変換してユーザーに提示するものである。具体的には、液晶ディスプレイ、有機ＥＬディスプレイ、表面電界ディスプレイ等の画像出力装置や、スピーカ、ヘッドフォン等の音声出力装置によって、映像及び音声をユーザーに提示できるように構成されている。
【００２１】
前記操作部６０は、ユーザーが所定の入力操作を行うための入力手段であり、チャンネル変更や音量のアップダウン、番組の視聴予約等を行うためのものである。具体的には、キーボード、カーソルキー、スティック、トラックボール、ボタン、マウス、リモコン、タッチパネル、音声認識、ジェスチャー認識、ジャイロセンサ等で構成されている。
【００２２】
前記番組情報取得部７０は、バッファ３０に格納されたＰＳＩ／ＳＩデータを読み出して解析するものである。ここで、ＰＳＩは、ＴＳに含まれる各ＥＳ（Elementary Stream）がどのプログラムに属しているかを示す情報であり、ＭＰＥＧ２−ＴＳ規格で定められている。また、ＳＩはＰＳＩを拡張して規定されたものであり、ＥＩＴ（Event Information Table）やＴＯＴ（Time Offset Table）等が含まれる。ＥＩＴには番組の名称や放送日時、内容等が含まれており、いわゆるＥＰＧはこれらの情報に基づいて作成されている。ここで、ＴＯＴは現在の日時を示す情報である。
【００２３】
前記予約制御部８０は、ＥＰＧからの視聴予約を受け付けるものである。
【００２４】
前記予約情報格納部９０は、受け付けた視聴予約情報を保存するためのものであり、バッファ３０と同様、ＤＲＡＭ等の揮発性メモリ、フラッシュメモリ等の不揮発性メモリ等の任意のメモリや、ＳＤカード等のメモリカードやハードディスク装置で構成されている。
【００２５】
図２は、本実施形態１に係るデジタル放送受信装置を用いた視聴予約手順を示すフローチャート図である。図２に示すように、まず、ステップＳ１０１では、番組情報取得部７０により、バッファ３０に格納されたＳＩデータに含まれるＥＩＴ情報を取得し、続くステップＳ１０２に進む。
【００２６】
次に、ステップＳ１０２では、予約制御部８０により、ＥＩＴ情報に基づいて、現在時刻以降に視聴可能な番組の中から各チャンネルの番組情報を抽出し、続くステップＳ１０３に進む。なお、現在時刻はＴＯＴであってもよいし、受信装置の内蔵時計であってもよい。さらに、ネットワークや電波経由で取得する時間情報であってもよい。
【００２７】
次に、ステップＳ１０３では、チャンネル毎に抽出した番組情報をモニタに一覧表示する。図３は、視聴予約のための番組情報を一覧表示した例である。図３の例では、現在時刻が１３時台、特に１４時直前の場合を示している。
【００２８】
図３（ａ）は、各チャンネルの１４時スタートの番組を１件ずつ表示した場合を示している。図３（ｂ）は、全チャンネルの番組の中で最も終了時刻の遅いもの（図３（ｂ）の例ではＢテレビの「番組名Ｂ１」）に合わせ、終了時刻までの間に放送される全番組を表示した場合を示している。
【００２９】
なお、ここでは新聞のテレビ欄の一部のような表示形式で表示しているが、縦軸が放送局、横軸が時間軸でも構わないし、単純に番組名のみを一覧表示したものであっても構わない。
【００３０】
次に、ステップＳ１０４では、ユーザーによる予約選択を受け付ける。例えば、操作部６０の方向キー（不図示）を押すことで選択カーソル３００を移動させ、決定キー（不図示）にて選択するようにすればよい。
【００３１】
なお、モニタの一画面内に全チャンネルの番組情報を表示する必要はなく、全チャンネルを表示できない場合には、図３に示すスクロールカーソル３１０のような、スクロール可能であることを示すアイコン表示を行い、右キーを押し続けることで一画面内に表示しきれなかったチャンネルに関する番組を順次表示するようにしてもよい。
【００３２】
また、決定キーが押された場合の処理として、図４に示すような予約確認画面に遷移するようにしてもよいし、処理をスキップするようにしてもよい。図４に示す確認画面４００は、選択された番組の詳細内容を表示した例である。確認画面では「はい」か「いいえ」を選択することで番組の予約を最終決定する。
【００３３】
ここで「はい」が選択された場合、ステップＳ１０５に進み、「いいえ」が選択された場合にはステップＳ１０３の一覧表示に戻る。そして、ステップＳ１０３では、現在時刻以降に視聴可能な番組情報が一覧表示される。なお、図４の確認手続きをスキップした場合には無条件で「はい」を選択したことになり、ステップＳ１０５に進む。
【００３４】
次に、ステップＳ１０５では、選択された番組情報を視聴予約情報として予約情報格納部９０に保存し、続くステップＳ１０６に進む。
【００３５】
ステップＳ１０６では、予約手続きを終了するか否かをユーザーに確認する。図５は確認表示の例を示す図である。ここで「はい」が選択された場合は予約手続きを終了し、「いいえ」の場合はステップＳ１０７に進む。
【００３６】
次に、ステップＳ１０７では、ステップＳ１０４で選択した番組の終了時刻以降（図４に示す例では１５時５４分以降）に視聴可能な番組の中から各チャンネルの番組情報を抽出し、続くステップＳ１０８に進む。
【００３７】
ステップＳ１０８では、抽出した番組情報をモニタに一覧表示する。図６は、視聴予約のための番組情報を一覧表示した例である。図６の例では、ステップＳ１０４で選択した番組の終了時刻が１５時５４分であるので、１６時以降の番組情報を表示している。
【００３８】
次に、ステップＳ１０９では、ステップＳ１０４と同様の手順で番組の予約選択を行い、確認画面で「いいえ」が選択された場合にはステップＳ１０８に進み、「はい」が選択された場合には続くステップＳ１１０に進む。ステップＳ１１０では、選択された番組情報を視聴予約情報として予約情報格納部９０に保存し、続くステップＳ１１１に進む。
【００３９】
次に、ステップＳ１１１では、予約手続きを終了するか否かをユーザーに確認する。ステップＳ１１１での判定が「ＹＥＳ」の場合は予約手続きを終了し、ステップＳ１１１での判定が「ＮＯ」の場合はステップＳ１０７に戻る。
【００４０】
以上のように、本実施形態１に係るデジタル放送受信装置によれば、例えば、車内で小型モニタを利用してデジタルテレビ放送を視聴する場合であっても、見やすくて且つ簡単な操作によって視聴予約を行うことができる。また、一度に連続した予約を行うことができるため、例えば、ドライバーが運転を開始する前に予約手続きを完了しておけば、運転中は装置を一切操作することなく予約したテレビ番組を楽しむことができ、運転に専念することができる。
【００４１】
＜実施形態２＞
図７は、本実施形態２に係るデジタル放送受信装置の構成を示すブロック図である。前記実施形態１との違いは、コンテンツ格納部１００とコンテンツ情報取得部１１０とを追加した点であるため、以下、実施形態１と同じ部分については同じ符号を付し、相違点についてのみ説明する。
【００４２】
図７に示すように、前記コンテンツ格納部１００は、音楽データや映像データを格納するための記憶領域であり、例えばハードディスク、ＳＤカード、ＣＤ（Compact Disc）、ＤＶＤ（Digital Versatile Disc）等で構成されている。
【００４３】
前記コンテンツ情報取得部１１０は、コンテンツ格納部１００に格納された音楽又は映像データに関するタイトル名や演奏時間等を取得するものである。
【００４４】
図８は、本実施形態２に係るデジタル放送受信装置を用いた視聴予約手順を示すフローチャート図である。図８に示すように、まず、ステップＳ１０１では、番組情報取得部７０により、バッファ３０に格納されたＳＩデータに含まれるＥＩＴ情報を取得し、続くステップＳ２０１に進む。
【００４５】
次に、ステップＳ２０１では、予約制御部８０により、ＥＩＴ情報に基づいて、現在時刻以降に視聴可能な番組の中から各チャンネルの番組情報を抽出するとともに、コンテンツ格納部１００に格納されているコンテンツ情報を抽出し、続くステップＳ１０３に進む。
【００４６】
図９は、視聴予約のための番組情報を一覧表示した例である。図９の例では、現在時刻が１６時台、特に１７時直前の場合を示している。また、コンテンツ格納部１００としてＣＤを用いており、コンテンツ情報としてアーティスト名とアルバム名を番組情報とともに表示した場合を示している。ここで、ステップＳ１０４でのユーザーによる予約選択は、図９に示すように番組情報とコンテンツ情報を混在させた形式で行うのが好ましい。なお、コンテンツが予約選択された場合には、「１７時からＣＤ再生を開始する」という予約情報が取得される。
【００４７】
以下、ステップＳ１０３からステップＳ１０６までは前記実施形態１と同様の手順であるため、説明を省略する。
【００４８】
ステップＳ１０６での判定が「ＮＯ」の場合（予約手続きを終了しない場合）には、ステップＳ２０２に進む。
【００４９】
ステップＳ２０２では、予約された内容がコンテンツ情報であるか否かを判定する。ステップＳ２０２での判定が「ＹＥＳ」の場合には、ステップＳ２０３に進む。ステップＳ２０２での判定が「ＮＯ」の場合には、予約された内容が番組情報であると判断して、ステップＳ１０７に進む。
【００５０】
ステップＳ２０３では、予約コンテンツの終了時刻を計算し、その時刻以降で視聴可能な番組情報を抽出し、続くステップＳ１０８に進む。ここで、例えば、ＣＤの収録時間が４２分であった場合、終了時刻は４２分後ということになる。
【００５１】
なお、テレビ番組は終了時刻が１７時５４分というように次の番組との間隔があくことが多い。例えば、次の予約番組が１８時開始の場合、６分間、何も視聴しない時間が発生してしまうことになる。そこで、この時間を有効利用するために、例えば、図１０に示すように、代替のチャンネル、音楽又は映像を流すための選択画面を表示して、ユーザーに入力を促すようにしてもよい。具体的には、選択カーソル１０００を移動させることで、テレビチャンネル、ＣＤ、ＤＶＤ、ＨＤＤ１（１つ目のハードディスク）の中からＨＤＤ１を選択することができる。
【００５２】
図１１は、視聴予約のための番組情報を一覧表示した例である。この予約一覧表は、本実施形態２による予約手続きが完了した直後に表示してもよいし、ユーザーが所望するタイミングで確認できるようにしてもよい。なお、図１１の例では、番組と番組（又はコンテンツ）との間にはＨＤＤ１に収録されたフォルダ４というコンテンツを再生することを意味している。
【００５３】
以下、ステップＳ１０８からＳ１１１までは前記実施形態１と同様の手順であるため、説明を省略する。
【００５４】
以上のように、本実施形態２に係るデジタル放送受信装置によれば、車内でデジタルテレビ放送を視聴予約する場合において、予約時間帯に所望の番組が存在しない場合であっても、代替の嗜好音楽を楽しむために事前に予約することができる。例えばドライバーが走行前に予約手続きを完了しておけば、運転中は装置を一切操作することなく予約したテレビ番組や嗜好の音楽を楽しむことができ、運転に専念することができる。
【００５５】
＜実施形態３＞
図１２は、本実施形態３に係るデジタル放送受信装置の構成を示すブロック図である。前記実施形態１との違いは、経路ナビゲーション部１２０を設けた点であるため、以下、実施形態１と同じ部分については同じ符号を付し、相違点についてのみ説明する。
【００５６】
図１２に示すように、経路ナビゲーション部１２０は、ユーザーが操作部６０により目的地を設定登録したときに、現在地から目的地までの経路情報及び到着予定時刻を算出するものである。算出された経路情報及び到着予定時刻はモニタ画面に表示される。
【００５７】
図１３は、本実施形態３に係るデジタル放送受信装置を用いた視聴予約手順を示すフローチャート図である。以下、ステップＳ１０１からステップＳ１０６までは前記実施形態１と同様の手順であるため、説明を省略する。
【００５８】
図１３に示すように、ステップＳ１０６での判定が「ＮＯ」の場合（予約手続きが続行された場合）には、続くステップＳ３０１に進む。
【００５９】
ステップＳ３０１では、視聴予約した番組の終了時刻が経路ナビゲーション部１２０により算出された到着予定時刻を越えているか否かを判定する。ステップＳ３０１での判定が「ＮＯ」の場合には、ステップＳ１０７に進む。ステップＳ３０１での判定が「ＹＥＳ」の場合には、予約受付処理を終了する。
【００６０】
以下、ステップＳ１０７からステップＳ１１１までは前記実施形態１と同様の手順であるため、説明を省略する。ここで、ステップＳ１１１での判定が「ＮＯ」の場合には、ステップＳ３０１に進み、再度、終了時刻が到着予定時刻を越えているかを判定するものとする。
【００６１】
以上のように、本実施形態３に係るデジタル放送受信装置によれば、車内でデジタルテレビ放送を視聴予約する場合において、目的地への到着までに要する運転時間の範囲内のみで効率的に視聴予約を行うことができる。
【００６２】
なお、本実施形態３では、実施形態１に係るデジタル放送受信装置に経路ナビゲーション部１２０を設けた場合について説明したが、実施形態２に係るデジタル放送受信装置に経路ナビゲーション部１２０を設けるようにしても構わない。
【産業上の利用可能性】
【００６３】
以上説明したように、本発明は、特に車載用途向けのデジタル放送受信装置において、小型のモニタ画面でも見やすく且つ簡単に視聴予約をできるという実用性の高い効果が得られることから、きわめて有用で産業上の利用可能性は高い。
【図面の簡単な説明】
【００６４】
【図１】本発明の実施形態１に係るデジタル放送受信装置の構成を示すブロック図である。
【図２】本実施形態１に係るデジタル放送受信装置を用いた視聴予約手順を示すフローチャート図である。
【図３】視聴予約のための番組情報を一覧表示した例である。
【図４】視聴予約の確認画面表示の例である。
【図５】視聴予約手続きを継続するかどうかの確認表示例である。
【図６】視聴予約を継続した場合の番組情報を一覧表示した例である。
【図７】本実施形態２に係るデジタル放送受信装置の構成を示すブロック図である。
【図８】本実施形態２に係るデジタル放送受信装置を用いた視聴予約手順を示すフローチャート図である。
【図９】視聴予約のための番組情報を一覧表示した例である。
【図１０】視聴予約のためのチャンネル情報及びコンテンツ格納領域を一覧表示した例である。
【図１１】視聴予約された情報を一覧表示した例である。
【図１２】本実施形態３に係るデジタル放送受信装置の構成を示すブロック図である。
【図１３】本実施形態３に係るデジタル放送受信装置を用いた視聴予約手順を示すフローチャート図である。
【符号の説明】
【００６５】
１０    電波受信部
２０    ＤＥＭＵＸ
３０    バッファ
４０    視聴制御部
５０    出力部
６０    操作部
７０    ＰＳＩ／ＳＩ取得部（番組情報取得部）
８０    予約制御部
９０    予約情報格納部
１００    コンテンツ格納部
１１０    コンテンツ情報取得部
１２０    経路ナビゲーション部
【図１】
2008141379.tif 000003
【図２】
2008141379.tif 000004
【図３】
2008141379.tif 000005
【図４】
2008141379.tif 000006
【図５】
2008141379.tif 000007
【図６】
2008141379.tif 000008
【図７】
2008141379.tif 000009
【図８】
2008141379.tif 000010
【図９】
2008141379.tif 000011
【図１０】
2008141379.tif 000012
【図１１】
2008141379.tif 000013
【図１２】
2008141379.tif 000014
【図１３】
2008141379.tif 000015